(57)【要約】      （修正有）【課題】簡単な改良により排便時の跳ねかいりを防止し、又汚物の一部の目隠しを可能にした経済的な災害時用の簡易トイレを提供する。【解決手段】非常時用簡易トイレ１は、内部に空間３ＯＳが設けられた便座受台３と、排便のための開口部２ＯＰを有した便座２と内部空間３ＯＳに配置される汚物収容袋５より成り、この簡易トイレの構成において、張出傾斜台４を汚物収容袋５の上部が載る位置に、便座受台３の後部の内側に上部から下方向に張出傾斜台４を設け、その斜面で排便の落下角度が変化し前方に落下される構成とされている。【選択図】図１
0003180717.tif 000002
【実用新案登録請求の範囲】
【請求項１】
内側に空間が設けられた便座受台と、排便用開口部を有し前記便座受台の上端に着脱自在に取り付けられる便座と、前記便座受台の内部空間内に配置された汚物収容袋とを備えた非常時用簡易トイレにおいて、前記便座受台の後部の内側に上部から下方向に傾斜面を有した張出傾斜台が設けられている事を特徴とする非常時用簡易トイレ。
【請求項２】
前記便座受台の後部の内側の内面に上部から下方向に傾斜面を有した張出傾斜台が設けられている事を特徴とする請求項１に記載の非常時用簡易トイレ。
【請求項３】
前記張出傾斜台の傾斜角度を約２５度から約５０度の勾配にした事を特徴とする請求項１〜２のいずれか一項に記載の非常時用簡易トイレ。
【請求項４】
勾配をもった傾斜枕を該便座受台に設けた事を特徴とする請求項１〜３のいずれか一項に記載の非常時用簡易トイレ。
【請求項５】
内側に空間が設けられた便座受台と、排便用開口部を有し前記便座受台の上端に着脱自在に取り付けられる便座と、前記便座受台の内部空間内に配置された汚物収容袋とを備えた非常時用簡易トイレにおいて、前記便座の座る表面を四辺形の形状にし、前記便座受台と嵌合する該便座の裏面も四辺形の形状にした発砲スチロ−ル製の便座を備えた事を特徴とする非常時用簡易トイレ。
【考案の詳細な説明】
【技術分野】
【０００１】  本考案は簡易トイレに関し、更に詳しくは主として災害非常時の簡易トイレの使用の際において、便壺より糞尿の跳ねかいり防止及び汚物の一部の目隠し、更には軟便汚れ対策が可能な、簡易トイレの便座受台が改良された非常時用簡易トイレに関するものである。
【背景技術】
【０００２】  災害非常時用の簡易トイレは昨今の防災意識を反映してその必要性で、需要も多く、多種多様になってきている。簡易トイレは地震などの天災によりライフラインが損傷を受け、上下水が使用できなくなった災害時に、復旧されるまでの間臨時に使用されるものである。排便排尿は人間が生活していくための欠かす事のできない生理的自然現象であるため出来得る限り安心した良い環境が必要である。【０００３】  災害時の簡易トイレは様々な状況、状態で使用される。会社、駅、学校等々の避難場所で不特定多数の人々が共同で使用される事を対象としている。避難場所等では年齢、性別、障害者等、家族及び数人単位でのグル−プごとに共同で使用する事になる。単独で独占的に使う事はほとんど難しい状況にある。【０００４】  災害時での生理的現象である排便は特に環境に大きく影響され大幅に乱れる。季節等の要因でも異なるが排尿は水分摂取量によっては回数が多くなる。このような非常時の状況下で簡易トイレは使用されるが、その都度汚物を始末する事は災害時においては難しいのは当然である。従って便壺の汚物の量はかなり多く溜まる。【０００５】  排泄物が溜まった状態のトイレの使用で、汚物の跳ね返りは極めて不快であり不衛生である。当然の事であるが排便はほぼ垂直方向に近い角度で落下する。便壺の溜まり状態及び排便の状態によるが極めて高い率で跳ね返りを受ける可能性がある。
又汚物が溜まった状態がまともに見えるのは不快である。災害時とはいえ出来得る限り用便の際の環境を良くし、安心して使用できる事が心理的にも健康的にも極めて重要な事である。【０００６】  現状において、災害非常時の簡易トイレとして、そのような汚物の跳ね返り防止及び目隠し具が付いている簡易トイレは提供されていない。
【先行技術文献】
【０００７】
【特許文献１】特開２００７−２０９６９２号公報  （特許第４８６０２９０号）
【特許文献２】実用新案登録第３０３４４７７号公報
【０００８】  上記の特許文献１の簡易トイレの考案は水平底面を傾斜受板により汚物を一方に集める事を目的とした考案で、跳ね返りの解消及び、目隠しにはならない。又排便時の汚物収容袋内側の汚れ軽減対策がなされていない。本考案とは考案の目的と効果が相違する。
特許文献２関する考案も本考案とは考案の目的と効果が相違する。
【考案の概要】
【考案が解決しようとする課題】
【０００９】  本考案は問題点を克服し、大掛かりな構造にする事なく簡単な改良により排便時の跳ねかいりを防止し、又汚物の一部の目隠しを可能にし、更には軟便対策も簡単にできる災害時用の簡易トイレを提供するものである。
【課題を解決するための手段】
【００１０】  本考案は、前記課題を解決するために、以下の構成としたことを特徴とする。即ち、本非常時用簡易トイレは、内側に空間が設けられた便座受台と、排便のための開口部をもった前記便座受台の上端に着脱自在に取り付可能にした排便のための開口部をもった便座と前記便座受台の内側空間内部に配置される汚物収容袋より成り、汚物収容袋は開口部上端縁を前記便座受台の上端と便座の間に挟み込み、着脱自在に便座受台の内側空間の内部に装着される。この簡易トイレの構成において、前記汚物収容袋の上部が載る位置に、該便座受台の後部の内側に上部から下方向に傾斜面もち更に排便の落下位置範囲をカバ−する位置に張出傾斜台を設けた便座受台を特徴とした非常時用簡易トイレである。
【考案の効果】
【００１１】  本考案は下記の効果及び利点を奏する。便座受台の後部の内側に一片の張出傾斜台を設ける事により排便は先ず、張出傾斜台の上面の汚物収容袋に落下し、落下角度を前方向に変えて落下するので直接汚物溜まりに落下せず、汚物の跳ねかいり防止が可能となる。又汚物収容袋に溜まった汚物の一部がこの張出傾斜台により目隠しとなる。更に軟便対策として張出傾斜台により、汚物収容袋の内側の傾斜面にトイレットペイパ−を容易に垂らし載せ維持させる事ができる。排便後そのトイレットペイパ−を下部の汚物溜まりに落とす事により汚物収容袋の内側を汚す事がほぼ解消できる。したがって、その後に使用する人の不快感を軽減する事ができる。又非常時において排便の都度に汚物収容袋を交換しなくとも不快感を軽減できるので経済的である。更に本考案の非常時用簡易トイレの構成パ−ツの収納配送用段ボ−ルを再利用した簡単構造の便座受台であり製造コストも軽減できる。
【図面の簡単な説明】
【００１２】
【図１】本考案の実施の形態に関する非常時用簡易トイレの斜視図である。
【図２】同じく断面図である。
【図３】同じく非常時用簡易トイレの便座の斜視図である。
【図４】本考案の非常時用簡易トイレの構成パ−ツの収納配送用段ボ−ルが便座受台に再利用される実施例の斜視図。図４（ａ）は収納配送用段ボ−ルを示す。図４（ｂ）は再利用される過程を示す。図４（ｃ）は本考案の便座受台の完成図。
【図５】（ａ）は本考案の便座受台と張出傾斜台と傾斜枕の実施例と説明の断面図。（ｂ）は本考案の便座受台と張出傾斜台と傾斜枕の実施例と説明の断面図。（ｃ）は本考案の便座受台と張出傾斜台と傾斜枕の実施例の説明の断面図。（ｄ）は本考案の便座受台と張出傾斜台の実施例の説明の断面図。（ｅ）は本考案の便座受台と張出傾斜台の実施例の説明の断面図。
【図６】本考案の傾斜枕の実施例の拡大斜視図。
【００１３】  現在常用されている既成洋式トイレの構成は便座、便座蓋、便器で、そのサイズ、形状、座高サイズ等は人間工学の学問から日本人成人用便器として研究算出された形態である。
この基本的な形態を参考として下記に本考案の実施例を示す。
【実施例１】
【００１４】  図１は本考案の非常時用簡易トイレ１の完成斜視図である。
２は便座、３は便座受台、４は張出傾斜台、５は汚物収容袋、６は傾斜枕である。
図示の右側は非常時用簡易トイレ１の前部Ｆ（前側）であり左側は後部Ｂ（後側）である。【００１５】  図２は本考案の断面図である。この実施例において、本考案の構成パ−ツ即ち、便座２、便座蓋２ｂ、便座受台３、汚物収容袋５と本考案の特徴である張出傾斜台４と傾斜枕６が該便座受台３の後部の内側の内面３Ａの上部に設けてある。更に張出傾斜台４の上面、即ち汚物収容袋５の内側の傾斜面にトイレットペイパ−ＴＰを垂らし載せた図を示す。【００１６】  収納配送用段ボ−ルＡを便座受台３として再利用する事により更なる特徴としている。即ち便座受台３の内部スペ−スにトイレットペイパ−、テッシュ−、ウエットテッシュ−、凝固剤、消臭剤などの必需品をセット収納して提供する。この収納段ボ−ルを災害時に開封し図４の組み立てにより直ちに簡易トイレとして非常時に役立つ便利を提供するものである。収納配送用段ボ−ルＡは便座受台３に再利用するので強度が有ればどのような材質であってもよく制限はない。図４においては詳しく説明する。【００１７】  図示は汚物収容袋５の実施例で、便座受台３の内側空間内部３ＯＳに配置される。該汚物収容袋５は開口部上端縁を前記便座受台３の上端と便座２の間に挟み込み、着脱自在に便座受台３の内側空間の内部３ＯＳに装着される。ポリエチレン製を使用している。漏れ、破れ等使用に耐える強度が有ればどのような物であってもよく制限はない。【００１８】  張出傾斜台４及び傾斜枕６関して、使用者の年齢、体型、身長、性別、座る位置等で排便の落下範囲が若干異なるので張出傾斜台４の傾斜角度は特定できなが、張出傾斜台４の設置位置と傾斜角度は排便の落下範囲に大きく関連する。本考案の特徴である張出傾斜台４の設置位置と傾斜角度の安定と設置を容易にするために傾斜枕６を設ける。該傾斜枕６は該便座受台３の後部の内側の内面３Ａの上部中央に設ける。傾斜枕６は発砲スチロ−ルの成形品が好ましい。傾斜枕６はプラスチックの成型品または段ボ−ル、木製品等で所定の角度に形成された傾斜面６Ｓを有した形状、形態であればどのようなものであってもよく制限はない。本考案の非常時用簡易トイレ１のサイズ、形状、座高サイズの実施例において、張出傾斜台４の設置位置は便座受台３の後部の内側の内面３Ａの上部、中央上端より５ｃｍ．〜２０ｃｍ下方向に，該張出傾斜台４の傾斜角度は２５度〜５０度が範囲となる。それ以外の設置位置又は傾斜角度は本案の効果を損なう。該張出傾斜台４の設置位置は便座受台３の中央上端より下方向に約１０ｃｍ、下部に設け、該張出傾斜台４の傾斜角度は約３０度〜約４５度が好ましい。尚、該張出傾斜台４のサイズは排便の落下範囲をカバ−できる長さで良く、便座受台３の内側底面３ＢＴに接触してはならない。底面３ＢＴまでの間隔の長さは約１０ｃｍ．〜１５ｃｍ．が好ましい。幅は約１５ｃｍ．〜２０ｃｍが好ましい。該張出受台４の厚みは使用に問題が無く変形しなければ薄い方が良いが、約１ｃｍ．以下が好ましい。重量は軽い方が良い。該張出受台４の幅、厚み、重量、形状は使用に支障がない限り制限はない。【００１９】  図３は本考案の便座２の実施例で発砲スチロ−ル製の成型品である。便座２の開口部２ＯＰには便座蓋２ｂが設けられる。��砲スチロ−ルの便座２は四辺形の形状に製作されているので、本考案の該便座２と便座受台３の嵌合効果で便座受台３の強度を増す効果がある。更に安定性がよく、クッション性があり、座り良い形状に成型されている。しかも洗浄可能なので衛生的であり丈夫で安価であるため経済的な利点もあり非常時用簡易トイレとしては最適である。便座２の素材は常套のもの、例えば合板、ウレタンフォ−ム、硬質又は軟質プラスチック等どのような物であってもよく制限はない。【００２０】  図４は収納配送用段ボ−ルＡが本考案の便座受台３に再利用される過程の実施例を示す。図４（ａ）は本考案製品の構成パ−ツを収納配送する収納配送用段ボ−ルＡの開封状態を示す。図４（ｂ）は収納配送用段ボ−ルＡの蓋面Ａａに張出傾斜台４を接合した拡大斜視図を示す。図４（ｃ）は収納配送用段ボ−ルＡが本考案の便座受台３に再利用された図を示す。収納配送用段ボ−ルＡには本考案の張出傾斜台４のための傾斜枕６を、必要な勾配で所定位置に予め設けておく、更に収納配送用段ボ−ルＡの蓋面Ａａにも所定位置に張出傾斜台４を接合して予め設けておく（図４（ａ），図４（ｂ）参照），張出傾斜台４と前記蓋面Ａａの接合方法はのりしろ面Ｎを設け接着する。その連結手段である接合方法は常套手段でよく制限はない。接合位置に隣接して折れ線ＯＬを設ける。本実施例においては張出傾斜台４が収納配送用段ボ−ルＡの該蓋面Ａａに予め接合固定されており、傾斜枕６の傾斜面に固定されていないので、張出傾斜台４は上下の開閉運動が可能となり、汚物収容袋５の交換のための取り出しに張出傾斜台４が邪魔にならない利点がある。尚実施例では収納配送用段ボ−ルＡの蓋面Ａａと張出傾斜台４を接合しているが、該収納配送用段ボ−ルＡと該張出傾斜台４を一体に作る事ができる。収納配送用段ボ−ルＡの収納物、即ち便座２、便座蓋２ｂ，汚物収容袋５及びその他トイレットペイパ−類などを取り出す。収納配送用段ボ−ルＡの底面は開封せずそのままの状態でよい。収納配送用段ボ−ルＡの蓋面Ａａ，Ａｂ，Ａｃ，Ａｄを収納配送用段ボ−ルＡの内側内部に折り込む。この折り込みにより段ボ−ルの強度を増す利点がある。張出傾斜台４を傾斜枕６に載せる事により本考案の便座受台３となり、収納配送用段ボ−ルＡが本考案の便座受台３に再利用された更なる特徴となる。張出傾斜台４と傾斜枕６は折れ線ＯＬにより丁度よい位置、勾配に配置され図１のように組み立てて非常時用簡易トイレとして災害時に使用できる。【００２１】  図５（ａ）の実施例では傾斜枕６を発砲スチロ−ル製の成形品を用いて張出傾斜台４の角度を３５度の勾配にした図を示す。張出傾斜台４は傾斜枕６の傾斜面に固定する。図示の通り排便は本考案の張出傾斜台４の上面の汚物収容袋５に落下し、その後落下の速度を弱め前方向に角度を変えて汚物溜まり５Ｂに落下する。よって排便時の跳ねかいりを防止し、又汚物の一部を張出傾斜台４により目隠しを可能にした実施例である。【００２２】  図５（ｂ）の実施例は、傾斜枕６の素材と固定方法は図５（ａ）の実施例と同じである。効果も図５（ａ）の実施例と同じである。但し張出傾斜台４の角度を３０度の勾配にした図を示す。本実施例においては傾斜枕６に厚みを設け��実施例である。この傾斜枕６により張出傾斜台４を前方にせりだす効果がある。【００２３】  図５（ｃ）の実施例は、傾斜枕６の素材と効果も図５（ａ）の実施例と同じである。但し張出傾斜台４の角度を４０度の勾配にした図を示す。本実施例においては張出傾斜台４が便座受台３の後部内側の内面３Ａに直接接着固定され、傾斜枕６の傾斜面に固定されていない。よって、張出傾斜台４は上下の開閉運動が可能となり、汚物収容袋５の交換のための取り出しに張出傾斜台４が邪魔にならない利点がある。【００２４】  図５（ｄ）の実施例は傾斜枕６を使用せず、張出傾斜台４を形状維持が可能な素材、ＰＰ（ポリプロピレン）でヒンジ手段を設け、角度を４５度の勾配にした張出傾斜台４の図を示す。効果は図５（ａ）の実施例と同じである。図示の通り張出傾斜台４の上部の一部を便座受台３の後部内側の内面３Ａに直接接着固定させ、ヒンジ部４Ａの角度を４５度の勾配に折り曲げ維持した状態の図を示す。この張出傾斜台４のヒンジ部４Ａを用いて張出傾斜台４の角度を任意の角度に折り曲げて指定角度の設定が可能になる利点がある。設定角度のストッパ−手段を設ける事ができる。素材は指定位置に維持が可能であればどのような物であってもよく制限はない。【００２５】  図５（ｅ）の実施例は張出傾斜台４の角度を５０度の勾配にした図を示す。効果は図５（ａ）の実施例と同じである。本実施例では傾斜枕６を使用しないで張出傾斜台４の上部を三角形４Ｂに形成し、三角形４Ｂの垂直面を便座受台３の後部内側の内面３Ａに直接接着させる。三角形４Ｂの底辺は張出傾斜台４を支え角度を維持させる。又該底辺の長さで張出傾斜台４の所定の勾配を作る事ができる。素材は硬質プラスチックシ−ト等、どのような物であってもよく制限はない。【００２６】  図５の実施例では張出傾斜台４の材質は図５（ｄ）を除き段ボ−ルを使用している。簡単に折れ曲がらない素材で使用に耐える強度が有ればどのような物でもよく制限はない。薄い弾力性のある素材、例えばＰＰ（ポリプロピレン），ポリエチレンが好ましい。
【符号の説明】
【００２７】１      非常時用簡易トイレ            Ａ      収納配送用段ボ−ル
２      便座                          Ａａ    収納配送用段ボ−ルの蓋面
２ｂ    便座蓋                        Ａｂ    収納配送用段ボ−ルの蓋面
２０Ｐ  便座の開口部                  Ａｃ    収納配送用段ボ−ルの蓋面
３      便座受台                      Ａｄ    収納配送用段ボ−ルの蓋面
３Ａ    便座受台の後部、内側の内面    Ｎ      のりしろ面
３ＯＳ  便座受台内部の空間            ＯＬ    折れ線
３ＢＴ  便座受台の内部底面            ＴＰ    トイレットペイパ−
４      張出傾斜台                    Ｆ      非常時用簡易トイレの前部（前側）
４Ａ    張出傾斜台のヒンジ部          Ｂ      非常時用簡易トイレの後部（後側）
４Ｂ    張出傾斜台上部三角形
５      汚物収容袋
５Ｂ    汚物溜まり
６      傾斜枕
６Ｓ    傾斜枕の傾斜面
【図１】
0003180717.tif 000003
【図２】
0003180717.tif 000004
【図３】
0003180717.tif 000005
【図４】
0003180717.tif 000006
【図５】
0003180717.tif 000007
【図６】
0003180717.tif 000008